(57)【要約】【課題】  ミキサー車を止めたまま生コンクリートの排出口を前後左右、上下方向に微調整できるミキサー車のシュート装置を提供する。【解決手段】  ミキサー車後部に設置されるミキサー車のシュート装置において、基端部１ａが車体側から起立する支軸８に水平旋回可能に取付けられてミキサードラム５から払出される生コンクリートを受け、先端１ｃに向けて下降傾斜する主シュート１と、該主シュート外面に内面の一部又は全部を当てがうように設けられる補助シュート２と、該補助シュートに一端を係止すると共に他端を主シュート１に係止してその作動により主シュート基端から補助シュート先端までの全長Ｌ０を伸縮可能にする伸縮用アクチュエータ３と、基端を車体側に係止する一方、先端を主シュート１の外面中央部分に係止して支軸８とで主シュート１を支え且つ主シュート１の下降傾斜角度θを変更し得るようにした角度調整用アクチュエータ４とを具備する。【選択図】  図６
2005329687.tif 000002
【特許請求の範囲】
【請求項１】
ミキサー車後部に設置されるミキサー車のシュート装置において、
基端部が車体側から起立する支軸に水平旋回可能に取り付けられて、ミキサードラムから払い出される生コンクリートを受け、先端に向けて下降傾斜する樋状の主シュート（１）と、該主シュートの外面に、内面の一部又は全部を当てがうように設けられる樋状の補助シュート（２）と、該補助シュートに一端を係止すると共に他端を前記主シュートに係止して、その作動により主シュートの基端から補助シュートの先端までの全長を伸縮可能にする伸縮用アクチュエータ（３）と、基端を車体側に係止する一方、先端を前記主シュートの外面中央部分に係止して前記支軸とで主シュートを支え、且つ該主シュートの下降傾斜角度を変更設定し得るようにした角度調整用アクチュエータ（４）と、を具備することを特徴とするミキサー車のシュート装置。
【請求項２】
前記伸縮用アクチュエータ及び角度調整用アクチュエータが油圧シリンダからなる請求項１記載のミキサー車のシュート装置。
【発明の詳細な説明】
【技術分野】
【０００１】
本発明はミキサー車から生コンクリートを所定の排出場所へ払い出すミキサー車のシュート装置に関する。
【背景技術】
【０００２】
ミキサードラム(以下、単に「ドラム」という。)から生コンクリートを払い出し、打設工事や荷卸しを行うにはシュート装置が必要になっており、そのシュート装置の改良に関してこれまで種々の発明技術が提案されてきた（例えば特許文献１,２）。
【０００３】
【特許文献１】特開２０００−２７１９２５号公報（以下、「引例１」という。）
【特許文献２】特開２００１−１０５４２２号公報（以下、「引例２」という。）
【０００４】
引例１は生コンクリートの排出場所が遠方にあるため、主シュートだけでは短いことから補助シュートを延長するときに作業性を改良する技術で、また引例２はミキサードラムから排出される生コンクリートを受ける主シュートの旋回装置を提案している。
【発明の開示】
【発明が解決しようとする課題】
【０００５】
しかるに、前記引例１,２に限らず、従来のシュート装置の機構はドラムから生コンクリートを払い受ける主シュートの基端部の下に設けた支持軸を縦軸中心として主シュートが水平旋回し、排出口となる先端部はライン状の円弧軌道を描くだけにすぎなかった。斯かる構成から、所定の排出場所に生コンクリートを払い出すには、先ず主シュートの排出口が所定排出場所に届く地点までミキサー車を後退させ、その後、排出場所の上方位置にシュートを調整してようやく準備が整った(例えば、引例２の図３)。そして、生コンクリートの排出口を微妙に変化させていかねばならないときは一層厄介になった。例えば施工現場で、側溝等のライン上に沿って生コンクリートを流し込んでいく場合は、支持軸を中心として主シュートが水平旋回するため、当初設定した地点では具合が良くても、側溝に沿って生コンクリートを流し込んでいくと、シュートが伸びないため側溝ラインと主シュートの先端部の距離が徐々に離れてしまう不具合を招いていた(図９参照)。その結果、いちいちミキサー車を前後左右に移動させて再設定しなければならなかった。
また排出場所がシュートの前方に位置する場合の対策として、引例１等のごとく主シュートの先端部に回動可能な一定長さの補助シュートを取付け、該補助シュートを延長させて選択使用できる方法があるが、これも側溝等に沿って生コンクリートを流し込んでいく場合はミキサー車を前後左右に移動させて再設定しなければならない状況に変わりなかった。主シュートの先端部か、或いは延長状態にした場合の補助シュート先端部が排出口になるかの二者択一の選択でしかなく、補助シュートを設けることによって半径が大きい１本のライン状円弧軌道を描けるだけであって、ミキサー車の移動手間は同様で大変な労力を強いられた。
【０００６】
本発明は上記問題点を解決するもので、ミキサー車を止めたままで生コンクリートの排出口を前後左右及び上下方向に簡単に微調整できるミキサー車のシュート装置を提供することを目的とする。
【課題を解決するための手段】
【０００７】
上記目的を達成すべく、請求項１に記載の発明の要旨は、ミキサー車後部に設置されるミキサー車のシュート装置において、基端部が車体側から起立する支軸に水平旋回可能に取り付けられて、ミキサードラムから払い出される生コンクリートを受け、先端に向けて下降傾斜する樋状の主シュート（１）と、該主シュートの外面に、内面の一部又は全部を当てがうように設けられる樋状の補助シュート（２）と、該補助シュートに一端を係止すると共に他端を前記主シュートに係止して、その作動により主シュートの基端から補助シュートの先端までの全長を伸縮可能にする伸縮用アクチュエータ（３）と、基端を車体側に係止する一方、先端を前記主シュートの外面中央部分に係止して前記支軸とで主シュートを支え、且つ該主シュートの下降傾斜角度を変更設定し得るようにした角度調整用アクチュエータ（４）と、を具備することを特徴とするミキサー車のシュート装置にある。
請求項２の発明たるミキサー車のシュート装置は、請求項１で、伸縮用アクチュエータ及び角度調整用アクチュエータが油圧シリンダからなることを特徴とする。
【０００８】
(作用)
請求項１の発明のごとく、主シュートの外面に内面を当てがうように樋状の補助シュートを設け、且つ該補助シュートに伸縮用アクチュエータの一端を係止する一方、その他端を前記主シュートに係止して、該伸縮用アクチュエータの作動により主シュートの基端から補助シュートの先端までの全長を伸縮可能にすると、所望の排出場所に対するシュート排出口の設定の自由度が極めて大きくなる。
基端部が車体側から起立する支軸に水平旋回可能に取り付けられた主シュートと、主シュートの外面に内面を当てがうように設けられる補助シュートと、補助シュートに一端を係止すると共に他端を前記主シュートに係止して、その作動により主シュートの基端から補助シュートの先端までの全長を伸縮可能にする伸縮用アクチュエータとが設けられると、支軸を中心とした主シュートの水平旋回可能範囲において、補助シュートが最大延長した場合の補助シュート先端の描く円周軌道と、補助シュートが格納された状態下の主シュート先端(又は補助シュート先端)の描く円周軌道とで囲まれた範囲であれば、希望する排出場所に対して、排出口の設定は前後左右どこにでも簡単にできるようになる。従来、ミキサー車をわざわざ移動させねばならなかった作業を大幅に削減できる。
請求項２の発明のごとく、請求項１の伸縮用アクチュエータ及び角度調整用アクチュエータを油圧シリンダにすると、小型でも伸縮力が大きいことで、対応速度,微調整等制御操作も容易になるため、補助シュートを進退動させるときの移動性、主シュートの傾斜角度調整のための作業性が良くなる。
【発明の効果】
【０００９】
本発明のミキサー車のシュート装置は、支軸を中心に水平旋回するだけでなく、主シュートの基端から補助シュートの先端までの全長を伸縮可能にすると共に主シュートの下降傾斜角度を変更設定できるので、ミキサー車を停止させたまま、生コンクリートの排出口を前後左右及びシュートの傾斜角度方向に簡単に微調整できるようになり、施工現場で側溝に沿って生コンクリートを流し込んでいく場合などに作業性向上に優れた効果を発揮する。
【発明を実施するための最良の形態】
【００１０】
以下、本発明に係るミキサー車のシュート装置について詳述する。
図１〜図９は本発明のミキサー車のシュート装置(以下、単に「シュート装置」という。）の一形態で、図１はそのシュート装置が設置されたミキサー車の背面図、図２は図１の側面図、図３は主シュートの平面図、図４は主シュートの基端から補助シュートの先端までの全長が最小状態にあるシュート装置の要部拡大図、図５は主シュートの基端から補助シュートの先端までの全長が最大状態にあるシュート装置の要部拡大図、図６は角度調整用アクチュエータ周りの要部拡大図、図７は図４のIV-IV線矢視図で、主シュートと補助シュートと伸縮用アクチュエータ周りの側面図、図８は図７と別態様の主シュートと補助シュートと伸縮用アクチュエータ周りの側面図、図９は本シュート装置の一操作を説明する平面図である。尚、図６は図面を判り易くするため、補助シュートのガイドレールの図示を省略する。
【００１１】
本シュート装置はミキサー車後部に設置され、主シュート１と補助シュート２と伸縮用アクチュエータ３と角度調整用アクチュエータ４とを具備する。
図１,図２に示すごとく、ミキサー車の車体フレームＦ上に、ミキサードラムＦ(以下、単に「ドラム」という。)の後部支持フレーム６が立設し、これに支持されるドラム５が後上り傾斜で回転軸線回りに回転できるよう設置されている。ドラム５の後端に排出孔７が設けられ、その下方にシュートの主要部たる主シュート１が配設される。
【００１２】
主シュート１はドラム５から払い出される生コンクリートを受け、先端に向けて下降傾斜する樋状の半割り円筒状体である。主シュート１の基端部１ａが車体側から起立する支軸８に取り付けられている。ここでは、車体側の後部支持フレーム６から後方に向けてブラケット６１を水平に張り出し、該ブラケット６１の先端で上下方向に通孔を配する筒体６２に、支軸８を起立するように配設する(図１,図６)。該支軸８は軸受６３より下の部分８ｂが筒体６２に挿通して回転自在に支持される一方、軸受６３より上の部分８ａは主シュート基端部１ａへ向かって屈曲してその上端がピン結合(ピンは符号Ｐ)で主シュート１の基端部１ａに取付けられて、主シュート１が支軸８を中心に水平旋回できるようにしている。
【００１３】
主シュート１の形状に関しては、主シュート１がドラム５から払い出される生コンクリートを最初に受け取る役目を担うため、その基端部１ａをホッパ入口のごとく口の大きな盆形状とし、基端部１ａから先端１ｃの排出口Ｅ１までの流路部分１ｂについては横断面略半円形で長手方向等断面の樋状体としている(図３,図７)。
符号９ａ,９ｂは主シュート１の外面側で上縁近くに設けられる滑車を示す。滑車９ａ,９ｂは主シュート１の両側で先端部分と中央付近の２カ所の地点、合計４カ所に設置される。符号１１は伸縮用アクチュエータ３を係止するために主シュート１の外壁両側から外方に張出すブラケットで、該ブラケットは主シュート１の両側面の基端部１ａ寄りに設けられる(図４)。符号１２は基端部１ａの外面下部に張出すブラケットで、該ブラケットに前記支軸８の上端がピンＰで連結される。符号１３は主シュート１の長手方向のほぼ中間地点(中央部分)で、外壁下面から下方に張出すブラケットを示し、角度調整用アクチュエータ４の上端を係止するための部材である。
なお、主シュート１は図７に示すごとく流路部分１ｂの両上縁から外鍔１ｂ２を外方水平に張出し、後述のコ字状ガイドレール２２を被うようにするのが好ましい。可動する補助シュート２のコ字状ガイドレール２２をカバーすることによって安全性が高まる。
【００１４】
補助シュート２は前記主シュート１の外面(下面)に、補助シュート樋部２１の内面(上面)の一部又は全部を当てがうように設けられる樋状の半割り円筒状体である。補助シュート２は全長Ｌ２が主シュート流路部分１ｂの長さの約半分で、前記流路部分１ｂの先端側前半分の外面に当接する格好で取り付けられる(図４)。ここでは、流路部分１ｂより一回り大きくした横断面半円形した樋部２１と、該樋部２１の両上縁に延設される横断面コ字状のガイドレール２２とを備える。図７のようにコ字状ガイドレール２２の開口を相対向させて、前記滑車９ａ,９ｂにコ字状ガイドレール２２の上辺部２２ａが載るようにしてガイドレール２２が滑車９ａ,９ｂ上を滑動することで、補助シュート２が吊設状態で主シュート１の外面上を移動(摺動)できるようになっている。ここで、ガイドレール２２は樋部２１の両上縁のみならず樋部２１よりも後方へ所定長さ張り出しており、その張り出し部分２２１があることから、補助シュート２が前進しても外れ落ちることはない。
符号２５は伸縮用アクチュエータ３を係止するために補助シュート２の外壁から張出すブラケットで、該ブラケットは補助シュート２の両側面に設けられる。
【００１５】
伸縮用アクチュエータ３は、前記補助シュート２に一端を係止すると共に他端を前記主シュート１に係止して、その作動により主シュート１の基端から補助シュート２の先端までの全長Ｌ０を伸縮可能にするものである(図４,図５)。本実施形態は伸縮用アクチュエータ３に油圧シリンダを用いる。伸縮用油圧シリンダ３ａのシリンダ本体３１から突設する板片３３を前記ブラケット１１にピンで連結係止する。伸縮用油圧シリンダ３ａのロッド３２の先端を前記ブラケット２５にピンで連結係止する。ロッド３２が収縮した図４の状態で、補助シュート２の樋部２１は主シュート流路部分１ｂの前半部に重なる。また、伸縮用油圧シリンダ３ａが作動してロッド３２が伸びると、補助シュート２が進出し、ロッド３２が伸び切った図５の状態で、主シュート１の基端から補助シュート２の先端までの全長Ｌ０が最大になる。本実施形態は図７のごとく伸縮用油圧シリンダ３ａが主シュート１から補助シュート２に至る両側に設けられる。
【００１６】
角度調整用アクチュエータ４は、基端を車体側に係止する一方、先端を前記主シュート１の外面中央の下部部分のブラケット１３に係止して前記支軸８とで主シュート１を支え、且つ該主シュート１の下降傾斜角度θを変更設定し得るようにするものである(図６)。本実施形態は角度調整用アクチュエータ４に油圧シリンダを用いる。図６に示すごとく、角度調整用油圧シリンダ４ａのシリンダ本体４１を前記ブラケット１３にピン結合し、角度調整用油圧シリンダ４ａのロッド４２の先端を支軸８の下端８ｂ１にピン結合することで、該角度調整用油圧シリンダ４ａで主シュート１を支えられるようにする。そして、角度調整用油圧シリンダ４ａと前記支軸８とで主シュート１(及びこれと一体の補助シュート２,伸縮用油圧シリンダ３ａ)の全体を受け支え、角度調整用油圧シリンダ４ａの作動によって支軸上端のピンＰを支点に主シュート１の下降傾斜角度θを変更できる構成とする。角度調整用油圧シリンダ４ａが収縮状態で、図６の実線図示のごとく下降傾斜角度θは大きくなり、角度調整用油圧シリンダ４ａのロッド４２が伸びるに従って図６の鎖線のごとく下降傾斜角度θは徐々に小さくなっていく。
【００１７】
符号ｋは角度調整用油圧シリンダ４ａと伸縮用油圧シリンダ３ａを個別に作動させることのできる操作スイッチである(図６)。ミキサー車後部近くで例えばミキサー車運転手が操作スイッチｋを手にもって補助シュート２の進退動,主シュート１の角度調整ができる。図６では角度調整用油圧シリンダ４ａ及び伸縮用油圧シリンダ３ａと操作スイッチｋを配線ｊでつなぐが、無線配線することもできる。
【００１８】
なお、前記滑車９ａ,９ｂに代え、図８のごとく主シュート１に係る流路部分１ｂの両側面に外鍔１ｂ１を張り出し、該外鍔の上面に滑り性良好なプラスチック板１０ｂ等を貼着する方法を採ってもよい。該プラスチック板１０ｂにコ字状ガイドレール２２の上辺部２２ａが載るようにしてガイドレール２２がプラスチック板１０ｂ上を滑動することとなる。滑り性良好なプラスチック板１０ｂの材料としては例えば無潤滑油軸受やワックス不要のスキー板滑走面に使用実績のある超高分子ポリエチレンがある。またフッ素樹脂やナイロン樹脂等も適している。
【００１９】
次に、本シュート装置の一操作説明をする。例えば図９に示す側溝ｕの長手方向に順に生コンクリートを供給していく場合、先ずミキサー車から真っ直ぐ後方に主シュート１が伸びる実線図示した状態にして主シュート先端１ｃが側溝ｕに届くようにしてミキサー車を止める。このとき、伸縮用油圧シリンダ３ａのロッド３２を後退させて補助シュート２が主シュート１の下面に重なった状態にし、図３,図４のごとく主シュート１の基端から補助シュート２の先端までの全長Ｌ０は最小にする。この状態から図９の右方に向け側溝ｕラインに沿って生コンクリートを流す場合、支軸８を中心に主シュート１を時計回りにゆっくり回していくと同時に、操作スイッチｋを手に持ち、施工現場を目で確認しながら伸縮用油圧シリンダ３ａのロッド３２を徐々に伸ばして補助シュート２の先端(すなわちシュート先端の排出口Ｅ０)が側溝ｕに届くようにする。斯かる操作によって、ミキサー車が動かなければ排出口Ｅ０が側溝ラインから離れてしまっていた従来の不具合を解消し、側溝ラインに沿って生コンクリートを流すことができる。図９の左方に向け側溝ラインに生コンクリートを流す場合も、側溝ｕのラインに沿うよう、支軸８を中心に主シュート１を反時計回りにゆっくり回していくと同時に、操作スイッチｋを手で持ちながら伸縮用油圧シリンダ３ａのロッド３２を徐々に伸ばして補助シュート２の先端が側溝ｕに届くようにする。かくして、ミキサー車を動かすことなく所定量の生コンクリートを広い領域に必要なだけ供給できる。上下に高低差が在るような所に、生コンクリートを供給する場合は、角度調整用油圧シリンダ４ａを高低差の状況に合わせて操作スイッチｋを動かしていく。
【００２０】
このように構成したシュート装置は、伸縮用油圧シリンダ３ａを作動させることによって主シュート１の基端から補助シュート２の先端までの全長Ｌ０を伸縮自在にできるので、ミキサー車を止めたままで、シュート排出口Ｅ０の設定の自由度が大きくなる。ミキサー車が止ったままであると、引例１のケースで補助シュート２を倒すか倒さないかの二者択一しか選択できなかったが、本発明では補助シュート２を主シュート１にしまい込んだ最小長さの状態から、必要に応じロッドを伸長させ補助シュート２を主シュート先端１ｃよりも前進させて、主シュート１の基端から補助シュート２の先端までの全長Ｌ０を最大限にする長さまで自在変更し大きくできるので、ミキサー車を停止したままでも排出口Ｅ０の供給設定できる範囲が広がる。また、主シュート１に補助シュート２と伸縮用アクチュエータ３と角度調整用アクチュエータ４が一体化し、該主シュート１が支軸８と角度調整用アクチュエータ４とに受け支えられているので、シュート装置は支軸８を中心に水平旋回できる。この水平旋回と、前記主シュート基端から補助シュート先端までの全長Ｌ０が可変になることから、ミキサー車を止めた状態で、これまで排出口Ｅ０が点でしか設定調整できなかったものが、補助シュート２の伸長範囲と支軸８の水平旋回できる範囲で囲まれた面領域に生コンクリートの排出口Ｅ０を自在に調整設定できる。従来、側溝ｕ等の溝ラインに沿って生コンクリートを流していく場合、いちいちミキサー車を動かして調整しなければならなかった負担から開放される。ミキサー車後部に操作スイッチｋが設けられれば、作業者が操作スイッチｋを手に持ち、補助シュート２の伸長長さを施工現場を見ながら微調整できるので作業性が一層向上する。
加えて、角度調整用アクチュエータ４があることによって排出口Ｅ０の高さも調整できるので、補助シュート２の伸長範囲と支軸８の水平旋回可能範囲と角度調整用アクチュエータ４で主シュート１,補助シュート２が動く下降傾斜角度θで囲まれた立体領域に排出口Ｅ０を設定して生コンクリートを供給できる。様々な工事現場で、ミキサー車を止めた状態で生コンクリートの排出口Ｅ０を所望の排出場所にもっていくことができ極めて有益となる。
【００２１】
尚、本発明においては前記実施形態に示すものに限られず、目的,用途に応じて本発明の範囲で種々変更できる。主シュート１,補助シュート２,伸縮用アクチュエータ３,角度調整用アクチュエータ４,支軸８の形状,大きさ,材質等は用途に合わせて適宜選択できる。
【図面の簡単な説明】
【００２２】
【図１】本発明のミキサー車のシュート装置が設置されたミキサー車の背面図である。
【図２】図１の側面図である。
【図３】主シュートの平面図である。
【図４】主シュートの基端から補助シュートの先端までの全長が最小状態にあるシュート装置の要部拡大図である。
【図５】主シュートの基端から補助シュートの先端までの全長が最大状態にあるシュート装置の要部拡大図である。
【図６】各右側が正面図である。
【図７】図４のIV-IV線矢視図である。
【図８】図７と別態様のIV-IV線矢視図である。
【図９】本シュート装置の一操作を説明する平面図である。
【符号の説明】
【００２３】
１        主シュート
１ａ      基端部
１ｃ      先端
２        補助シュート
３        伸縮用アクチュエータ
３ａ      伸縮用油圧シリンダ
４        角度調整用アクチュエータ
４ａ      角度調整用油圧シリンダ
５        ミキサードラム
８        支軸
Ｌ０        全長
θ        下降傾斜角度            
【図１】
2005329687.tif 000003
【図２】
2005329687.tif 000004
【図３】
2005329687.tif 000005
【図４】
2005329687.tif 000006
【図５】
2005329687.tif 000007
【図６】
2005329687.tif 000008
【図７】
2005329687.tif 000009
【図８】
2005329687.tif 000010
【図９】
2005329687.tif 000011